(57)【要約】本明細書では、洗浄シリンジアセンブリが記載されている。そのような洗浄シリンジアセンブリは、チャンバーを規定する側壁、開口近位端部、そこを介して前記チャンバーと流体連通した通路を有し、そこから遠位方向に延びる細長い先端を有する遠位壁を有する遠位端部、を備えるバレルを備えることが出来る。カラーはバレルの遠位壁上に取付けられ、そして伸びた先端を囲む。洗浄シリンジは移動可能なキャップを備えることも出来る。
2021511134.tif 000002
【特許請求の範囲】
【請求項１】
洗浄シリンジアセンブリであって、
流体を保持するチャンバーを規定する内側表面を備えた側壁、開口近位端部、そこを介して前記チャンバーと流体連通した通路を有し、そこから遠位方向に延びる細長い先端を有する遠位壁を有する遠位端部、を備えるバレル；
バレルの遠位壁上に取付けられた、細長い先端を囲むカラーであって、少なくとも一つの区画を規定する内側表面を有する側壁、開口遠位端部、バレルの遠位壁に隣接した近位端部、を備えるカラー；及び、
バレル内に配置された細長いプランジャーロッドであって、プランジャーロッドは、遠位端部と近位端部を備え、遠位端部はバレルに対するストッパーの動きでチャンバーに流体を引き込み、そして、チャンバーから流体を放出するためのバレルの内側表面と流体タイト係合でスライド可能に配置されたストッパーを備え、細長いプランジャーロッドはバレルの開口近位端部から外側に延び、ストッパーは遠位端表面を有する、プランジャーロッド；
を備える洗浄シリンジアセンブリ。
【請求項２】
バレルの遠位壁は、バレルをカラーに接続させる係合部分を備える請求項１に記載の洗浄シリンジアセンブリ。
【請求項３】
カラーの近位端は、バレルの遠位端上にスレッドで付けられている請求項２に記載の洗浄シリンジアセンブリ。
【請求項４】
カラーの区画は、細長い先端を囲む請求項１に記載の洗浄シリンジアセンブリ。
【請求項５】
カラーは、移動可能である請求項１に記載の洗浄シリンジアセンブリ。
【請求項６】
カラーは、凸面の内側表面を有する請求項１に記載の洗浄シリンジアセンブリ。
【請求項７】
カラーは、凹面の内側表面を有する請求項１に記載の洗浄シリンジアセンブリ。
【請求項８】
カラーは、台形プリズムの形状を有する請求項１に記載の洗浄シリンジアセンブリ。
【請求項９】
流体は、洗浄流体である請求項１に記載の洗浄シリンジアセンブリ。
【請求項１０】
洗浄シリンジアセンブリであって、
流体を保持するチャンバーを規定する内側表面を備えた側壁、開口近位端部、そこを介して前記チャンバーと流体連通した通路を有し、そこから遠位方向に延びる細長い先端を有する遠位壁を有する遠位端部、を備えるバレル；
バレルの遠位壁上に取付けられた、細長い先端を囲むカラーであって、少なくとも一つの区画を規定する内側表面を有する側壁、開口遠位端部、バレルの遠位壁に隣接した近位端部、を備えるカラー；
本体、近位端部、及び閉口遠位端部を有し、カラーの遠位端部上に取付けられている移動可能なキャップ；
バレル内に配置された細長いプランジャーロッドであって、遠位端部と近位端部を備えるプランジャーロッド；および、
プランジャーロッドの遠位端部にスライド可能に配置され、且つ、バレルに対するストッパーの動きで、チャンバーに流入する流体を引き込み、そして、チャンバーから流体を放出するためのバレルの内側表面と流体タイト係合して配置されたストッパー；
を備える洗浄シリンジアセンブリ。
【請求項１１】
カラーの区画は、細長い先端を囲む請求項１０に記載の洗浄シリンジアセンブリ。
【請求項１２】
バレルの遠位壁は、バレルをカラーに接続させる複数のスレッドを備える請求項１０に記載の洗浄シリンジアセンブリ。
【請求項１３】
カラーの遠位端部は、カラーを移動可能なキャップに接続させる複数のスレッドを備える請求項１０に記載の洗浄シリンジアセンブリ。
【請求項１４】
カラーは、移動可能である請求項１０に記載の洗浄シリンジアセンブリ。
【請求項１５】
カラーは、凸面の内側表面を有する請求項１０に記載の洗浄シリンジアセンブリ。
【請求項１６】
カラーは、凹面の内側表面を有する請求項１０に記載の洗浄シリンジアセンブリ。
【請求項１７】
カラーは、台形プリズムの形状を有する請求項１０に記載の洗浄シリンジアセンブリ。
【請求項１８】
流体は、洗浄流体である請求項１０に記載の洗浄シリンジアセンブリ。
【請求項１９】
移動可能なキャップは、移動可能なキャップの本体から延びて、且つ、細長い先端の遠位端部上の通路に対応する外向きのはみ出しを備える請求項１０に記載の洗浄シリンジアセンブリ。
【請求項２０】
移動可能なキャップは、三角、四角、五角、六角、七角、八角、対称又は非対称の多角形の断面形状を有する請求項１０に記載の洗浄シリンジアセンブリ。
【発明の詳細な説明】
【技術分野】
【０００１】
本開示は、一般的に、シリンジアセンブリ、及び特に、周辺の無菌でない環境とシリンジの先端の接触を防止する物理的バリアを備えたシリンジアセンブリに関する。本開示の実施形態は、血管アクセス装置（ＶＡＤ）の洗浄手段における使用に対して無菌技術を保証するものである。本開示の実施形態は、血流感染（ＣＲＢＳＩ）及び、キャッピング技術、特に洗浄手順に使用されるシリンジアセンブリ、を備えた静脈内（ＩＶ）管開通維持、に対する危険を低減させる技術にも関するものである。
【背景技術】
【０００２】
血管アクセス装置（ＶＡＤ）は、ペリフェラルカテーテル及び中心静脈カテーテルを含む治療装置に一般的に使用されている。適切に維持されない、又は、非無菌環境に曝露される場合、ＶＡＤは汚染され得、血の塊でシールされ、又は、感染を広げる。ＶＡＤが適切に使用され、シールされたり、感染されたりしないように、無菌プラクティスを保証するプロトコルが開発された。これらのプロトコルはＶＡＤを滅菌する、洗浄液でカテーテルを洗浄することを含む。カテーテルは、多様な流体を充填したシリンジアセンブリを使用して洗浄される。いくつかの場合、異なる流体が、プロトコルに従って、順次注入される。例えば、生理食塩水の次に、ヘパリンのような抗凝固剤が続く。静脈内（ＩＶ）管を洗浄するために使用されるシリンジのサイズは、カテーテルのサイズ及び長さを含む多様なファクターにより変化する。典型的に、１ｍｌ、３ｍｌ、５ｍｌ及び、１０ｍｌ容量のシリンジが使用される。ＶＡＤプロトコルは、たいてい、洗浄手順を、カテーテル配置後、流体注入前、並びに、薬剤投与、血液のサンプリング、輸血及び非経口栄養の前と後、が奨励されている。これらの洗浄手順の目的は、カテーテルの開通を確認し、薬剤の配合禁忌を回避し、完全な薬剤投与を保証し、血栓の形成を防止し、血流感染の危険を最小化することである。
【０００３】
従来からの洗浄シリンジは、シリンジ先端がパッケージングから除かれると、非無菌環境に曝露される一つの端にルアー先端を持つバレルを有しており、従って、望ましくない汚染の機会を提供する。結果として、シリンジ、特に、周りの非無菌環境で、シリンジの先端の「接触」汚染を低減又は除去することにより無菌プラクティスを促進するシリンジ先端の周りの物理的バリアを提供する洗浄シリンジ、に対するニーズが存在する。
【発明の概要】
【０００４】
本開示の一つの実施態様は、流体を保持するチャンバーを規定する内側表面を備えた側壁、開口近位端部、そこを介して前記チャンバーと流体連通した通路を有し、そこから遠位方向に延びる細長い先端を有する遠位壁を有する遠位端部、を備えるバレルを備える洗浄シリンジアセンブリに関連する。洗浄シリンジアセンブリは、バレルの遠位壁上に取付けられた、細長い先端を囲むカラーも備える。カラーは、区画を規定する内側表面を有する少なくとも一つの側壁、開口遠位端部、バレルの遠位壁に隣接した近位端部を備えることが出来る。洗浄シリンジアセンブリは、バレル内に配置された細長いプランジャーロッド（プランジャーロッドは、遠位部分と近位部分を備える）を備えることも出来る。プランジャーロッドは、バレルに対するストッパーの動きで、チャンバーに流体を引き込み、そして、チャンバーから流体を放出するためのバレルの内側表面と流体タイト係合でスライド可能に配置されたストッパーを備えた遠位端部を備えることも出来る。細長いプランジャーロッドは、バレルの開口近位端部から外側に延びても良い。
【０００５】
一つ以上の実施形態で、バレルの遠位壁は、バレルをカラーに接続させる複数のスレッドを備える。ある実施形態では、カラーの近位端は、バレルの遠位端上にスレッドで付けられても良い。
【０００６】
一つ以上の実施形態で、カラーの区画は細長い先端を囲む。一つ以上の実施形態で、カラーは移動可能であっても良い。
【０００７】
一つ以上の実施形態で、カラーは凸面の内側表面又は凹面の内側表面を有することが出来る。
【０００８】
一つ以上の実施形態で、カラーは台形プリズムの形状を有している。
【０００９】
一つ以上の実施形態で、流体は洗浄流体である。
【００１０】
本開示の一つの実施形態は、流体を保持するチャンバーを規定する内側表面を備えた側壁、開口近位端部、そこを介して前記チャンバーと流体連通した通路を有し、そこから遠位方向に延びる細長い先端を有する遠位壁を有する遠位端部、を備えたバレルを備える洗浄シリンジアセンブリに関連する。カラーは、バレルの遠位壁に取付けられ、細長い先端を囲むことが出来る。カラーは、区画を規定する内側表面を有する少なくとも一つの側壁、開口遠位端部、バレルの遠位壁に隣接した近位端部を備えることが出来る。本体、近位端部、及び閉口遠位端部を有する移動可能なキャップは、カラーの遠位端部に取付けられても良い。細長いプランジャーロッド（プランジャーロッドは、遠位部分と近位部分を備える）はバレル内に配置されることが出来る。ストッパーを、プランジャーロッドの遠位端部にスライド可能に配置して、そして、バレルに対するストッパーの動きで、チャンバーに流体を引き込み、そして、チャンバーから流体を放出するためのバレルの内側表面と流体タイト係合して配置しても良い。
【００１１】
一つ以上の実施形態で、カラーの区画は細長い先端を囲む。
【００１２】
一つ以上の実施形態で、バレルの遠位壁はバレルをカラーに接続させる複数のスレッドを備えても良い。一つ以上の実施形態で、カラーの遠位端はカラーを移動可能なキャップに接続させるために複数のスレッドを備えても良い。
【００１３】
一つ以上の実施形態で、カラーは移動可能であっても良い。
【００１４】
一つ以上の実施形態で、カラーは凸面又は凹面の内側表面を有しても良い。特定の実施形態で、カラーは台形プリズムの形状を有している。
【００１５】
一つ以上の実施形態で、流体は洗浄流体である。
【００１６】
一つ以上の実施形態で、移動可能なキャップは、キャップの本体から延びて、且つ、細長い先端の遠位端の開口部と対応する、外側へはみ出しを備えても良い。
【００１７】
一つ以上の実施形態で、移動可能なキャップは、三角、四角、五角、六角、七角、八角、対称又は非対称の多角形の断面形状を有する。
【図面の簡単な説明】
【００１８】
【図１】図１は、本開示の一つ以上の実施形態に従った、カラーを有する洗浄シリンジの部分的な斜視図を説明する。
【図２】図２は、本開示の一つ以上の実施形態に従った、カラーを有する洗浄シリンジの上部斜視図を説明する。
【図３】図３は、本開示の一つ以上の実施形態に従った、カラー及びキャップを有する洗浄シリンジの側面図を説明する。
【図４】図４は、本開示の一つ以上の実施形態に従った、カラー及びキャップを有する洗浄シリンジの断面図を説明する。
【図５】図５は、本開示の一つ以上の実施形態に従った、カラーを有する洗浄シリンジの上部斜視図を説明する。
【図６】図６は、本開示の一つ以上の実施形態に従った、カラー及びキャップを有する洗浄シリンジの側面図を説明する。
【図７】図７は、本開示の一つ以上の実施形態に従った、カラー及びキャップを有する洗浄シリンジの断面図を説明する。
【図８】図８は、本開示の一つ以上の実施形態に従った、カラー及びキャップを有する組立てられた洗浄シリンジの斜視図を説明する。
【図９】図９は、本開示の一つ以上の実施形態に従った、カラーを有し、キャップ除かれた洗浄シリンジの斜視図を説明する。
【発明を実施するための形態】
【００１９】
（発明の詳細な説明）
本開示の複数の具体的実施形態を記述する前に、この開示は、以下の記述中の構成又はプロセス工程などに限定されないと理解されるべきである。本開示は、他の実施形態及び、多様な方法で実現し又は実施できる。
【００２０】
この開示で使用されている用語に関して、以下の定義が提供される。
【００２１】
「洗浄シリンジアセンブリ」は、ＶＡＤの洗浄において使用する示されたシリンジを含む。洗浄のプラクティスは、カテーテルの開通を保証し、且つ維持し、配合禁忌医薬の混合を防止することを助ける。
【００２２】
「a」、「an」、「the」は、単数及び複数を含む。
【００２３】
「カテーテル関連血流感染」又は、「ＣＲＢＳＩ」は、カテーテル又はＩＶラインの存在から生じる感染を言う。
【００２４】
本明細書において、「ルアーコネクタ」は、シリンジ、カテーテル、ハブ針、ＩＶチューブ、などを相互に接続する標準的な方法である接続カラーを言う。ルアーコネクタは、プレッシャー／ツイストフィットだけの場合でも、一緒に保持されるように若干先細くした雄型及び雌型の連動式チューブから構成される。ルアーコネクタは、任意選択的により安全にするために追加でスレッディングの外側リムを備えることが出来る。ルアーコネクタ雄型端部は、一般的に洗浄シリンジと関係して、ＶＡＤ上に位置している雌型端部と連動し、そして、接続することが出来る。ルアーコネクタは、遠位端部、近位端部、一体的な形状をした外側壁、シリンジのバレルのチャンバーからＶＡＤのハブへ流体連通する特徴付けられた中央通路を備える。ルアーコネクタは、ルアーコネクタをＶＡＤのハブに脱着可能に付ける遠位端チャネル、及び、ルアーコネクタをシリンジのバレルに脱着可能に付ける近位端チャネルも有する。
【００２５】
臨床医は、静脈内（ＩＶ）カテーテルを洗浄している間、複数の事柄を処理する必要があるので、シリンジ先端が周囲の環境と接触することを防ぎつつ、手順を実行するために、ある水準の器用さが必要とされる。もし、シリンジ先端が非無菌表面に接触すると、ＩＶライン中の微生物の成長を生じさせる「接触」汚染が起きて、カテーテル関連血流感染（「ＣＲＢＳＩ」）及び、非常に高くなり且つ致死的である中央ライン関連血流感染（「ＣＬＡＢＳＩ」）を、結果として生じさせる。本開示の実施形態は、シリンジの細長い先端を囲むカラーを有する洗浄シリンジに関連する。カラーは、シリンジ先端の周りに物理的バリアを提供する。その形状により、本開示のカラーは、カテーテルハブ及び／又は針のないコネクタを有する洗浄シリンジの配置を促進することを助け、そして、それにより「接触」汚染の機会を低減出来る。
【００２６】
プランジャーロットと、開口近似端部及び遠位先端とを有するシリンジバレルとを備えたシリンジアセンブリが提供され、シリンジ先端が回りの非無菌環境と接触することを防止することによりシリンジの汚染を低減させると同時に、カテーテルハブ又は針なしコネクタとシリンジとの調整を促進させるために、遠位端シリンジ先端はカラーにより囲まれている。図１−７を参照し、本開示に従ったシリンジアセンブリ１０は、流体を保持するためのチャンバー２２を規定する内側表面を有する側壁２１を含む、バレル２０、を一般的に備える。１つ以上の実施形態で、流体は洗浄流体である。バレル２０は更に、開口近位端部（図示せず）、そこから遠位方向に延びる細長い先端２６を有する（カラー３０に接続するために適用される）遠位壁２５を有し、且つ、そこを介してチャンバーと流体連通した通路２７を有する遠位端部２４を備える。バレルの開口近位端部は、遠位端部２４の反対側の端部に配置される。遠位壁２５はカラー３０に付けるための複数のスレッド２８を備えても良いが、しかし、カラー３０は、プレスフィッティング、付着、引き止め、共射出成型、など、を含む多様な方法を介して、遠位壁上に関与しても良い。
【００２７】
図２に示すように、カラー３０は、バレルの遠位端部２４に取付けられ、カラー３０は、細長い先端２６を囲む区画３３を規定する内側表面３２を有する少なくとも一つの側壁３１、開口遠位端部３４、及びバレルの遠位壁２５に隣接した近位端部３５を備える。細長い先端２６は、血管アクセス装置のハブの接続に適用されている。カラー３０は、血管アクセス装置に接続するための内側表面上に、複数のスレッド３６を備えても良い。図４、５、及び７に示すように、カラー３０は、バレルの遠位壁２５に付けるための近位端部３５上に係合部分３８を備えても良い。製造において、洗浄シリンジアセンブリ１０は、バレルの遠位壁２５上の近位端部３５上に接続されたカラー３０で提供することが出来る。係合は、プレスフィッティング、付着、引き止め、共射出成型、など、限定されるものではないが、多様な方法を介しても良い。カラー３０の形状は多様であり得る。カラー３０は、凸面の内側表面（例えば、放物面）、凹面の内側表面、直線的なプロファイルで（例えば、半円錐形状）、又は台形プリズムの形状を有していても良い。シリンジの本体からのこの拡張の長さ、及び、プロファイルの開放性／真直性の程度（シリンジのバレルから最も離れたところで、カラーはどれだけの幅であるか）は、多様であり得る。
【００２８】
一つ以上の実施形態で、カラー３０は、シリンジアセンブリ１０からから移動可能であっても良い。
【００２９】
一つの実施形態で、カラー３０は、血管アクセス装置のハブに接続するために適用された複数のスレッド３６を備えても良い。一つ以上の実施形態で、カラー３０は、血管アクセス装置のハブに接続するために適用された細長い先端を囲む。一つ以上の実施形態で、細長い先端はルアー先端である。
【００３０】
図３、４、及び６に示すように、カラー３０の開口遠位端部３４は、移動可能なキャップ４０を備えていても良い。移動可能なキャップ４０は、近位端部４２、閉口遠位端部４３を有する本体４１を備える。遠位端部４３及び近位端部４２は、キャップ４０の長さを規定する。図３、４、６、及び７は、本開示の一つ以上の実施形態に従った、キャップ４０の側面図、及び、断面図をそれぞれ示す。キャップ遠位端部４３でキャップへこみ４３１が形成されるように、キャップ遠位端部４３０は遠位端部４３内で、へこんでいても良い。組立において、キャップ４０の近位端部４２は、カラー３０の遠位端部４３に隣接している。図４及び７に示すように、キャップ４０は、キャップ４０の本体から延びて、且つ、細長い先端２６の遠位端の開口部と対応する外側に向くはみ出し４４を備えていても良い。移動可能なキャップ４０の近位端部４２は、カラー３０の遠位端部の内側表面上に配置された対応する溝に付けるための外側表面上に、複数のスレッドを備えても良い。一つ以上の実施形態で、カラー３０上にキャップをねじ留めできるように、少なくとも一つのねじスレッドが適用される。
【００３１】
キャップ４０の断面形状は、これらに限定されるものではないが、三角、四角、五角、六角、七角、八角、対称又は非対称の多角形を含むいかなる好適な形状であっても良い。キャップ４０の形状は、使用者に快適な感情を提供し、且つ、使用者がカラー３０からキャップを容易に接続又は非接続させられるように、つかむ力を強化できる。いくつかの実施形態で、キャップ４０は不規則な形状である。本明細書及び、特許請求の範囲において、用語「不規則な形状」は、断面図が、断面について自由な回転が有害である表面又は縁を提供することを意味する。例えば、六角形又は楕円形は、「不規則」と考えられる。
【００３２】
シリンジアセンブリ１０は、公知の方法を使用して洗浄液で満たしても良い。更に、シリンジアセンブリ１０は、製造者又はサプライヤーから充填済で提供されても良い。洗浄液は、洗浄するため又はＶＡＤの性能を維持するため意図されたいかなる溶液であっても良い。洗浄液は、生理食塩水及び、ヘパリンロック洗浄液から成る群から選択されることが好ましい。これらの溶液は、当該分野では知られており、且つ、容易に入手出来る。生理食塩水洗浄液の具体例は、限定されるものではないが、注入用の０．９％塩化ナトリウムＵＳＰを含む。ヘパリンロック洗浄液の具体例は、限定されるものではないが、ｍＬ当たり１００ＵＳＰユニット又は１０ＵＳＰユニットの塩化ヘパリンを有する０．９％塩化ナトリウムを含む。
【００３３】
シリンジアセンブリ１０のＶＡＤへの結合が完了すると、シリンジのバレル２０から血管アクセス装置への流体連通が生じ得る。流体は、一体化通路２７を介してバレル２０から、ＩＶ又はカテーテル中に引き込まれる。カラー３０の存在により、血管アクセス装置を介した患者中への流体連通は、追加の拭く工程及び臨床医による勤勉さなしに、無菌状態下で行われる。
【００３４】
一つ以上の実施形態で、カラー３０は、血管アクセス装置への流体連通のためのシリンジバレル２０の遠位壁２５上に一体化形成され得る。
【００３５】
バレルは、バレルから遠位に延びる先端を備えても良い。先端は、バレルの残りの外径と異なるか又は同じ外径を有することが出来る。例えば、図に示されるように、先端の外径は、先端の近位端部であるバレル部分よりも小さい外径を有する。バレルの先端は、先端を同心円的に囲む又は先端内のルアースリップ結合又は、ロッキングルアー型カラーを備えても良い。
【００３６】
図８は、本開示の一つ以上の実施形態に従ったカラー及びキャップを有する組立て洗浄シリンジの斜視図を説明する。図９は、本開示の一つ以上の実施形態に従ったカラーを有し、キャップが除かれた組立て洗浄シリンジの斜視図を説明する。
【００３７】
細長いプランジャーロッド５０は、遠位部分及び近位部分５２を備えることが出来、バレルに対するストッパーの移動により、チャンバー中へ流体を引き込み、また、チャンバーから流体を放出するためのバレルの内側表面で、流体タイト係合でスライド可能に配置されたストッパー５４を備えた遠位端部５１を備え、細長いプランジャーロッドはバレルの開口近位端部２３から外側方向へ延び、ストッパーは、遠位表面を有する。
【００３８】
細長いプランジャーロッドは、バレル２０内に配置されても良い。プランジャーロッドは、近位端部及び遠位端部を有する細長い本体部分を備える。
【００３９】
プランジャーロッドの細長い本体部分は、近位端部から遠位端部へ延びる軸長さを有する。本体部分は、シリンダー形状又は他の形状を有していても良い、一つのビーム又は特徴を備えていても良い。本体部分は、二つの垂直に交わるビームにより形成されることで出来る。
【００４０】
プランジャーロッド５０は、細長い本体部分の近位端５２で、サムプレス５５も備えても良い。サムプレスの形状は、洗浄シリンジアセンブリの所望する使用に依存して変化し得る。サムプレスの形状は、円形、四角形、正方形、長方形、三角形、楕円形、五角形、六角形、及び、十字形であり得る。
【００４１】
ストッパー５４は、プランジャーロッドの遠位端部に接続させることが出来る。ストッパーの形状及びサイズは、例えば、バレル及びプランジャーロッドの形状及びサイズに依存して、いかなる好適な形状又はサイズであり得る。プランジャーロッド５０は、バレル２０中にスライド可能に配置され、ストッパーはバレルの内側表面に流体タイト接触しており、且つ、バレル２０に対するプランジャーロッド５０の遠位端移動により、ストッパー５４がバレルからの流体を押し出すようにする。いくつかの実施形態で、ストッパーは、バレルに対するストッパーの移動により、チャンバーからの流体を放出させるためバレルの内側表面と流体タイト接触してスライド可能に配置される。ストッパーは、いかなる好適な手段により、細長いプランジャーの遠位端部に接続させることが出来る。いくつかの実施形態で、相補的なスクリュースレッド及び、プレスフィット接続の相互作用のような機械的接続により接続される。ストッパーは、チャンバー中に流体を引き込み、そして、チャンバーから流体を放出するために、バレルの内側表面と流体タイト係合してスライド可能に配置されても良い。
【００４２】
ストッパーは、バレルの内側表面をシールするように提供に適したいかなる材料で作成されても良い。例えば、ストッパーは、熱可塑性エラストマー、天然ゴム、合成ゴム、又は、熱可塑性材料、及び、これらの組合せから作成することが出来る。ストッパーは、同じ又は異なる材料を一緒にさせた別々の材料を一体化成形又は、構成されることが出来る。プランジャーロッドは、ポリプロピレン、ポリエチレン、などのようなストッパーよりもより強固な材料で作成されても良い。材料は、使用される手段との互換的であるように選択されるべきである。
【００４３】
本明細書の開示は、特定の実施形態を参照して述べたが、これらの実施形態は、本発明の原理及び適用の単に実例であると理解すべきである。従って、実例の実施形態に多数の修正を行うことが出来、そして、本明細書で開示の精神及び特許請求の範囲から逸脱することなく、他の配置を考案することが出来ると理解すべきである。
【図１】
2021511134.tif 000003
【図２】
2021511134.tif 000004
【図３】
2021511134.tif 000005
【図４】
2021511134.tif 000006
【図５】
2021511134.tif 000007
【図６】
2021511134.tif 000008
【図７】
2021511134.tif 000009
【図８】
2021511134.tif 000010
【図９】
2021511134.tif 000011
【国際調査報告】
2021511134.tif 000012
2021511134.tif 000013
2021511134.tif 000014